(57)【要約】【課題】画面の表示領域を変更可能とし、表示領域の大きさにより案内項目を決定し、必要に応じた案内項目を適切に提供する。【解決手段】車両用案内情報提示システムにおいて、画面の表示領域を変更する表示領域変更手段（１、４）と、表示領域の大きさを算出する表示領域算出手段（４）と、算出した表示領域の大きさに基づいて案内項目を決定し、決定した案内項目を出力する制御手段（４）とを備えたものである。【選択図】　　　　図１
2004077134.tif 000002
【特許請求の範囲】
【請求項１】
車両用案内情報提示システムにおいて、
画面の表示領域を変更する表示領域変更手段と、
表示領域の大きさを算出する表示領域算出手段と、
算出した表示領域の大きさに基づいて案内項目を決定し、決定した案内項目を出力する制御手段と、
を備えたことを特徴とする車両用案内情報表示システム。
【請求項２】
前記制御手段は、最大表示領域の大きさに対する算出した表示領域の大きさの割合に応じて案内項目を決定することを特徴とする請求項１記載のシステム。
【請求項３】
前記制御手段は、交差点に接近したことを条件に交差点拡大図を表示する際、表示領域の大きさに応じて交差点拡大図の案内項目を決定することを特徴とする請求項１〜５いずれか記載のシステム。
【請求項４】
案内情報を表示する表示領域の大きさを算出し、算出した表示領域の大きさに基づき案内項目を決定し、決定した案内項目の案内情報を提示することを特徴とする車両用案内情報提示方法。
【請求項５】
案内情報を表示する表示領域の大きさを算出し、算出した表示領域の大きさに基づき案内項目を決定し、決定した案内項目を案内情報として出力することを特徴とするプログラム。
【発明の詳細な説明】
【０００１】
【発明の属する技術分野】
本発明は表示領域の大きさが変更可能な画面を有する車両用案内情報提示システム、提示方法およびプログラムに関する。
【０００２】
【従来の技術】
従来、車両用ナビゲーション装置において、案内画面を１画面表示モードと２画面表示モードとで切り換え可能とし、モード切り換えにより案内項目の異なる情報を複数表示可能とし、例えば１画面表示モードでは案内地図を略図で表示し、２画面表示モードでは略図と地図とをそれぞれ同時に表示できるようにしたものが提案されている（特開平１０−９６６４９号公報）。
【０００３】
【発明が解決しようとする課題】
車両用ナビゲーション装置においては、ユーザが地理を良く知っている場所では、詳細な案内情報を必要とせず、ユーザが地理に不案内な場所では詳細な案内情報を必要とする。
しかし、上記提案のものでは、１　面表示モードと２画面表示モードとで表示領域全体の大きさは同じであるため、案内情報をそれほど必要としない時でもあるいは必要とするときでも、同じ大きさの表示領域に案内情報が表示されるため、ユーザにとって煩わしいと感じる場合がある。
【０００４】
【課題を解決するための手段】
本発明は上記課題を解決しようとするもので、画面の表示領域を変更可能とし、表示領域の大きさにより案内項目を決定し、必要に応じた案内項目を適切に提供することを目的とする。
そのために本発明は、車両用案内情報提示システムにおいて、画面の表示領域を変更する表示領域変更手段と、表示領域の大きさを算出する表示領域算出手段と、算出した表示領域の大きさに基づいて案内項目を決定し、決定した案内項目を出力する制御手段とを備えたことを特徴とする。
また、本発明の車両用案内情報提示方法は、案内情報を表示する表示領域の大きさを算出し、算出した表示領域の大きさに基づき案内項目を決定し、決定した案内項目の案内情報を提示することを特徴とする。
また、本発明のプログラムは、案内情報を表示する表示領域の大きさを算出し、算出した表示領域の大きさに基づき案内項目を決定し、決定した案内項目を案内情報として出力することを特徴とする。
【０００５】
【発明の実施の形態】
以下、本発明の実施の形態を図面を参照しつつ説明する。
図１は車両用ナビゲーション装置の実施の形態の例を説明する図である。
出発地や目的地等の経路案内に関する情報を入力する入力装置１、自車両の現在位置に関する情報を検出する現在位置検出装置２、地図データ、経路の探索に必要なナビゲーション用データ、経路案内に必要な表示／音声の案内データ、さらに地図の表示、経路探索、音声案内等の案内を行うためのプログラム（アプリケーション及び／又はＯＳ）等が記録されている情報記憶装置３、ナビゲータ処理手段として地図の表示処理、経路探索処理、経路案内に必要な表示／音声案内処理、さらにシステム全体の制御を行う中央処理装置４、車両の走行に関する情報である、例えば道路情報、交通情報を送受信したり、車両の現在位置に関する情報を検出したり、さらに現在位置に関する情報を送受信したりする情報送受信装置５、経路案内に関する情報を出力するディスプレイやスピーカその他の出力装置６から構成されている。
【０００６】
入力装置１は、地図を選択して目的地を入力したり、運転者の意志によりナビゲーション処理を中央処理装置４に指示する機能を備えている。その機能を実現するための手段として、目的地を電話番号や地図上の座標などにて入力したり、経路案内をリクエストしたりするタッチスイッチやジョグダイアル等のリモートコントローラ等を用いることができる。また、入力装置としては音声入力による対話を行うための装置を備えており、音声入力装置として機能する。また、ＩＣカードや磁気カードに記録されたデータを読み取るための記録カード読み取り装置を付加することもできる。また、ナビゲーションに必要なデータを蓄積し、運転者の要求により通信回線を介して情報提供する情報センターや、地図データや目的地データ、簡易地図、建造物形状地図などのデータを有する携帯型の電子装置等の情報源との間でデータのやりとりを行うためのデータ通信装置を付加することもできる。
【０００７】
現在位置検出装置２は、衛星航法システム（ＧＰＳ）を利用して高さ情報を含む車両の現在位置情報を入手するもの、車両の進行方位を、例えば地磁気を利用することにより絶対方位で検出する絶対方位センサ、車両の進行方位を、例えばステアリングセンサ、ジャイロセンサを利用することにより相対方位で検出する相対方位センサ、例えば車輪の回転数から車両の走行速度及び走行距離を検出する速度・距離センサ、車両の加速度を検出して高さ情報を含む現在位置情報を検出するセンサ等から構成される。
【０００８】
情報記憶装置３は、ナビゲーション用のプログラム及びデータを記憶した外部記憶装置で、例えばＣＤ−ＲＯＭ、ＤＶＤ−ＲＯＭ等の光ディスク、フロッピィディスク、ハードディスク等の磁気ディスク、ＭＯ等の光磁気ディスク等からなっている。プログラムは、経路探索などの処理を行うためのプログラム、本実施例記載のフローチャートに示されるような処理プログラムや経路案内に必要な表示出力制御、音声入力により対話的に案内を行うためのプログラム及びそれに必要なデータ、音声案内に必要な音声出力制御を行うためのプログラム及びそれに必要なデータが格納されている。記憶されるデータとしては、地図データ、道路データ、行政区画名や地域の名称を含む地名データ、探索データ、探索したルートのデータ、案内データ、マップマッチングデータ、目的地データ、メモリ地点データ、走行履歴データ、施設データ、交差点等分岐点の画像データ、ジャンル別データ、ランドマークデータ等のファイルからなり、ナビゲーション装置に必要なすべてのデータが記憶されている。そして、これらのデータは情報センタからダウンロードして更新可能である。なお、情報記憶装置にはデータのみ格納し、プログラムは中央処理装置に格納するタイプのものとしてもよい。
【０００９】
中央処理装置４は、種々の演算処理を実行するＣＰＵ、情報記憶装置３からプログラムを読み込んで格納するフラッシュメモリ、フラッシュメモリのプログラムチェック、更新処理を行うプログラム（プログラム読み込み手段）を格納したＲＯＭ、設定された目的地の地点座標、道路名コードＮｏ．等の探索された経路案内情報や演算処理中のデータを一時的に格納するＲＡＭからなっている。また、この他にもディスプレイ等の出力装置に表示するためのデータを格納するフレームメモリ、入力装置１からの音声入力による対話処理を行ったり、ＣＰＵからの音声出力制御信号に基づいて情報記憶装置３から読み出した音声、フレーズ、１つにまとまった文章、音等を合成してアナログ信号に変換してスピーカに出力する音声プロセッサ、通信による入出力データのやり取りを行う通信インタフェースおよび現在位置検出装置２のセンサ信号を取り込むためのセンサ入力インタフェース、内部ダイアグ情報に日付や時間を記入するための時計などを備えている。なお、前記した更新処理を行うプログラムを外部記憶装置に格納しておいてもよい。
【００１０】
本実施形態に係るプログラム、その他ナビゲーションを実行するためのプログラムは全て、外部記憶装置に格納されてもよいし、それらプログラムの一部または全てが本体側のＲＯＭに格納されていてもよい。この外部記憶装置に記憶されたデータやプログラムが外部信号としてナビゲーション装置本体の中央処理装置に入力されて演算処理されることにより、種々のナビゲーション機能が実現される。
【００１１】
また、本実施形態に係るプログラム、その他ナビゲーションを実行するためのプログラム、地図データの一部または全ては情報センター（インターネットサーバー、ナビゲーション用サーバー）から複数の基地局（インターネットのプロバイダー端末や車両と通信で繋がる通信局）に送信され、端末側の中央処理装置４は基地局から送られてくる情報を情報送受信装置によって受信し、中央処理装置４内の読み書き可能なメモリ（例えばＲＡＭやフラッシュメモリやハードディスク）にダウンロードしてプログラムを実行することにより、種々のナビゲーション機能を実現させるようにしてもよい。ここで、プログラムはフラッシュメモリに格納し、地図データはＲＡＭに格納する如くプログラムと地図データを別の読み書き可能なメモリに格納するようにしてもよいし、同じ読み書き可能なメモリに格納するようにしてもよい。あるいは、家庭内のパソコンで情報センターからプログラム、地図データの一部または全てを取り外し可能な記憶媒体（例えばＩＣカード、磁気カードやフロッピーディスク）へダウンロードし、その記憶媒体を中央処理装置４につなげて、記憶媒体内のプログラムを実行することにより、種々のナビゲーション機能を実現させるようにしてもよい。
【００１２】
本実施形態のナビゲーション装置は、上記のように外部記憶装置からプログラムを読み込んだり、情報センター等からダウンロードしたプログラムを読み込むための比較的大容量のフラッシュメモリ、ＣＤの立ち上げ処理を行うプログラム（プログラム読み込み手段）を格納した小容量のＲＯＭを内蔵する。フラッシュメモリは、電源が切断しても記憶情報が保持される、つまり不揮発性の記憶手段である。そして、ＣＤの立ち上げ処理として、プログラム読み込み手段であるＲＯＭのプログラムを起動してフラッシュメモリに格納したプログラムチェックを行い、情報記憶装置３に格納されているディスク管理情報等を読み込む。プログラムのローディング処理（更新処理）は、この情報とフラッシュメモリの状態から判断して行われる。
【００１３】
情報送受信装置５は、衛星航法システム（ＧＰＳ）を利用して情報を入手するＧＰＳ受信装置、ＦＭ多重放送、電波ビーコン、光ビーコン等を利用して情報を入手するためのＶＩＣＳ（道路交通情報通信システム）受信装置、携帯電話、パソコン等を利用することにより、情報センターや他車両と情報を双方向に通信するためのデータ送受信装置等から構成される。
【００１４】
出力装置６は、運転者が必要な時に案内情報を音声および／または画面により出力したり、中央処理装置４でナビゲーション処理されたデータなどをプリント出力する機能を備えている。そのための手段として、中央処理装置４で処理したデータや情報記憶装置３に格納されたデータを画面表示するために展開、描画するメモリ、メモリに描画したイメージデータを表示するディスプレイ、中央処理装置４で処理したデータや情報記憶装置３に格納されたデータをプリント出力するプリンタ、経路案内を音声で出力するスピーカなどを備えている。
【００１５】
ディスプレイは、簡易型の液晶表示器等により構成されており、本実施形態ではタッチパネル、リモコン等により画面の表示領域の大きさが変更可能であり、中央処理装置４が処理する地図の表示データや案内データに基づき展開、描画された交差点拡大図画面、目的地名、時刻、距離、進行方向矢印等を表示する。ディスプレイに表示する画像データは、２値画像データ（ビットマップデータ）であり、中央処理装置４が処理する地図の表示データや案内データをシリアル通信等で使用する通信線を使用し、また、他の通信線を兼用して受信し、出力装置６内でメモリに展開、描画した後、指示された表示範囲をディスプレイの画面に表示する。また、エアコン、オーディオ、テレビを同時表示できるマルチウインドウタイプにも適用可能である。
【００１６】
このディスプレイは、運転席近傍のインストルメントパネル内に設けられており、運転者はこれを見ることにより自車両の現在地を確認したり、またこれからの経路についての情報を得ることができる。また、このディスプレイの案内画面を自動車のフロントガラスに埋め込んだハーフミラーを通して運転者の目線を下げずに見えるようにするヘッドアップディスプレイを備えるようにしてもよい。また、ディスプレイの表示画面にタッチパネル、タッチスクリーン等を含むタブレットを使用し、画面に触れる、或いは画面をなぞることにより、地点入力、道路入力等を行えるように構成してもよい。
【００１７】
図２は上記実施形態のナビゲーション装置において使用される案内画面の例を説明する図である。
表示画面１０はタッチパネルからなっていて、上辺表示枠１１、下辺表示枠１２に直接触れて、或いはリモコンでドラッグすることにより、表示領域の大きさが変更可能である。例えば、上辺表示枠１１にタッチして斜線部分を下方にドラッグすることにより、あるいは下辺表示枠１２にタッチして上方にドラッグすることにより、表示領域の大きさが変更される。この表示領域の変更はドラッグされた表示枠がどの位置にセットされたかを図１の中央処理装置で判断し、表示領域を変更している。
【００１８】
本実施形態は、表示領域の大きさに応じて案内情報の出力形態を変更するものであり、表示領域が大きい場合には多くの案内項目を表示し、表示領域が小さい場合にはユーザがそれほど案内項目を表示することを望んていないと判断し、案内項目を少なくして出力する。
【００１９】
図３は本発明に係る案内情報表示処理フローを説明する図である。
ユーザが表示枠を移動させて表示領域の大きさを変更したとき、その表示領域の大きさを計算し（ステップＳ１）、計算で求めた表示領域の大きさに基づいて案内形態を決定する（ステップＳ２）。案内形態の決定においては、後述するように、どのような案内項目を出力するかが決定される。次いで、決定された案内情報を出力する（ステップＳ３）。
【００２０】
次に、表示領域の大きさの変更により表示する案内項目を変えるようにした具体例について説明する。
図４は案内画面の表示領域の大きさを上辺表示枠１１、あるいは下辺表示枠１２の移動により変えられるようにした例を示し、図示の例では下辺表示枠１２をドラッグして表示領域の大きさを変えている。
上辺表示枠から下辺表示枠までの長さをＬとし、その長さが予め設定した長さＳ、Ｒ、Ｑ、Ｐ（Ｓ＜Ｒ＜Ｑ＜Ｐ）に対してどのような大きさの関係にあるかにより、後述するように表示する案内項目を決定する。なお、Ｐは最大長さでＬ＝Ｐのとき最大表示領域となる。
【００２１】
図５は表示要素テーブルで、表示のランクと案内項目の関係を示している。
表示要素テーブルは、予めナビゲーション装置の情報記憶装置に登録しておく。図示の例では、表示要素テーブルで表示ランクが１〜８まで決められ、ランク１は次案内交差点進行方向矢印、ランク２は次案内交差点までの距離、ランク３は次案内交差点名称、ランク４は次の次の案内交差点進行方向矢印、ランク５は現在地から目的地までの距離、ランク６は目的地到着時刻、ランク７は現在時刻、ランク８は現在地（カーソル位置）基準地図である。
【００２２】
図６は図４の画面においてユーザが設定した画面の大きさに対応する表示パターンを選択する処理フローを示す図である。
画面の縦方向移動があるか否か判断し（ステップＳ１１）、なければ処理は終了する。画面の縦方向移動がある場合、Ｑ＜Ｌ＜Ｐか否か判断し（ステップＳ１２）、この関係を満たす場合には後述するパターン１で案内項目を表示する（ステップＳ１３）。また、Ｒ＜Ｌ＜Ｑか否か判断し（ステップＳ１４）、この関係を満たす場合には後述するパターン２で案内項目を表示する（ステップＳ１５）。また、Ｓ＜Ｌ＜Ｒか否か判断し（ステップＳ１６）、この関係を満たす場合には後述するパターン３で案内項目を表示する（ステップＳ１７）。また、Ｌ＜Ｓの場合には、アイコンのみ表示する（ステップＳ１８）。
【００２３】
図７はパターン１〜３とアイコンの表示例を示し、画面内の数字１〜８は図５の表示要素テーブルにおける表示ランクを示している。
図７（ａ）はパターン１の表示例を示し、表示領域が大きいので画面上部にはランク１の次案内交差点進行方向矢印、ランク４の次の次の案内交差点進行方向矢印、ランク３の次案内交差点の名称○○交差点、ランク２の次案内交差点までの距離５００ｍがそれぞれ表示され、画面中央部にはランク８の現在地（カーソル位置）基準地図が表示され、画面下部には、ランク７の現在時刻１５：３２、ランク５の現在地から目的地までの距離７ｋｍ、ランク６の目的地到着時刻１６：００が表示されている。
【００２４】
図７（ｂ）はパターン２の表示例を示し、パターン１の表示画面に比して表示領域が狭く、画面中央部に表示されていたランク８の基準地図が省略され、画面上部のランク１の次案内交差点進行方向矢印、ランク４の次の次の案内交差点進行方向矢印、ランク３の次案内交差点の名称○○交差点、ランク２の次案内交差点までの距離５００ｍと、画面下部のランク７の現在時刻１５：３２、ランク５の現在地から目的地までの距離７ｋｍ、ランク６の目的地到着時刻１６：００が表示されている。
【００２５】
図７（ｃ）のパターン３では、パターン２の表示画面に比してさらに表示領域が狭く、画面下部のランク７の現在時刻１５：３２、ランク５の現在地から目的地までの距離７ｋｍ、ランク６の目的地到着時刻１６：００が省略され、画面上部のランク１の次案内交差点進行方向矢印、ランク４の次の次の案内交差点進行方向矢印、ランク３の次案内交差点の名称○○交差点、ランク２の次案内交差点までの距離５００ｍのみ表示される。
【００２６】
図７（ｄ）のアイコン表示では、単にアイコンのみ表示しており、これに代えて次案内交差点までの距離のみ表示するようにしてもよい。
【００２７】
図８は案内画面が上辺表示枠１１、下辺表示枠１２だけでなく、左右の辺の表示枠１３、１４によっても可変できる例を示している。
【００２８】
図９は図８の案内画面における表示領域の大きさと表示パターンの関係を示しており、表示領域の縦方向の長さおよび横方向の長さに基づいてパターン１〜パターン９の形態で案内項目を表示する。上辺表示枠１１、左辺表示枠１３を固定とし、可変表示枠１２、右変表示枠を移動する場合、縦方向の長さをＬＹ、横方向の長さをＬＸとし、縦方向の予め設定した長さＳ、Ｒ、Ｑ、Ｐ（Ｓ＜Ｒ＜Ｑ＜Ｐ）、横方向の予め設定した長さＷ、Ｖ、Ｕ、Ｔ（Ｗ＜Ｖ＜Ｕ＜Ｔ）との関係で表示する案内項目を決定する。すなわち、
Ｕ＜ＬＸ＜Ｔで、
Ｑ＜ＬＹ＜Ｐのときパターン１
Ｒ＜ＬＹ＜Ｑのときパターン２
Ｓ＜ＬＹ＜Ｒのときパターン３
Ｖ＜ＬＸ＜Ｕで、
Ｑ＜ＬＹ＜Ｐのときパターン４
Ｒ＜ＬＹ＜Ｑのときパターン５
Ｓ＜ＬＹ＜Ｒのときパターン６
Ｗ＜ＬＸ＜Ｖで、
Ｑ＜ＬＹ＜Ｐのときパターン７
Ｒ＜ＬＹ＜Ｑのときパターン８
Ｓ＜ＬＹ＜Ｒのときパターン９
で表示する。パターン１〜３は図７（ａ）、（ｂ）、（ｃ）で示したパターンである。
【００２９】
なお、表示領域の大きさは画面の横方向や縦方向の長さで規定する以外にも、表示領域のドット数、或いは横方向や縦方向のドット数で規定するようにしてもよい。
【００３０】
図１０は図９におけるパターン４〜９の表示例を示している。
図１０（ａ）のパターン４では、画面上部にランク１の次案内交差点進行方向矢印とランク４の次の次の案内交差点進行方向矢印、ランク２の次案内交差点までの距離５００ｍが表示され、画面中央にランク８の基準地図、画面下部にランク５の現在地から目的地までの距離７ｋｍ、ランク６の目的地到着時刻１６：００が表示されている。
図１０（ｂ）のパターン５では、パターン４の表示画面に比して表示領域が狭く、パターン４においてランク８の基準地図が省略され、画面上部にランク１の次案内交差点進行方向矢印とランク４の次の次の案内交差点進行方向矢印、ランク２の次案内交差点までの距離５００ｍが表示され、画面下部にランク５の現在地から目的地までの距離７ｋｍ、ランク６の目的地到着時刻１６：００が表示されている。
図１０（ｃ）のパターン６では、パターン５の表示画面に比して表示領域がさらに狭く、パターン５における画面下部のランク５の現在地から目的地までの距離７ｋｍ、ランク６の目的地到着時刻１６：００が省略され、画面上部のランク１の次案内交差点進行方向矢印とランク４の次の次の案内交差点進行方向矢印、ランク２の次案内交差点までの距離５００ｍのみ表示されている。
図１０（ｄ）のパターン７では、図１０（ａ）〜図１０（ｃ）に比して横方向の幅が狭くなり、画面上部にランク１の次案内交差点進行方向矢印とランク４の次の次の案内交差点進行方向矢印が表示され、画面中央にランク８の基準地図、画面下部にランク２の次案内交差点までの距離５００ｍ表示されている。
図１０（ｅ）のパターン８では、パターン７の表示画面に比して表示領域がさらに狭く、パターン７における画面中央のランク８の基準地図が省略され、画面上部にランク１の次案内交差点進行方向矢印とランク４の次の次の案内交差点進行方向矢印が表示され、画面下部にランク２の次案内交差点までの距離５００ｍ表示されている。
図１０（ｆ）のパターン９では、パターン８の表示画面に比して表示領域がさらに狭く、パターン８における画面下部のランク２の次案内交差点までの距離５００ｍが省略され、画面上部にランク１の次案内交差点進行方向矢印とランク４の次の次の案内交差点進行方向矢印が表示されている。
【００３１】
なお、上記各表示パターンでは交差点拡大図の表示例について触れてないが、表示領域の大きさに応じて交差点拡大図の案内項目を決定してもよい。すなわち、交差点に接近して交差点拡大図を表示する際に、そのときの表示領域の大きさに応じて交差点拡大図の案内項目を決定し、表示領域が大きい場合には詳細に、表示領域が小さい場合には案内項目を絞って簡易的に表示してもよい。
【００３２】
また、上記説明においては、画面表示する案内項目を表示領域の大きさにより変更する例について説明したが、案内項目は音声案内も含み、表示領域の大きさに応じて音声案内する情報を変更するようにしても良い。また、案内交差点における音声案内、踏切やカーブ案内等の注意喚起案内、ルート外れ案内等の音声案内を適宜表示領域の大きさに応じて追加することも可能である。また、表示領域が所定値より小さくなった場合には音声案内を停止するようにしても良い。
【００３３】
また上記説明においては、ナビゲーション用の案内情報の表示例について説明したが、ナビゲーション情報とエアコン、オーディオ、テレビの同時表示を行うマルチウインドウ方式に本実施形態を適用することも可能である。この場合、ディスプレイの大きさに応じるのではなく、ナビゲーション装置、エアコン、オーディオ等の各表示領域の大きさに基づいて案内項目を決定し、この案内項目の案内情報を出力する。例えば、ナビゲーションとテレビの２画面表示の場合、ナビゲーションの表示領域に応じてナビゲーションの案内項目を決定し、テレビの表示領域に応じてテレビの案内項目を決定する。また、ナビゲーションの案内表示領域を減少させた場合にはそれに応じてテレビの案内項目を拡大し、あるいはナビゲーション、テレビ双方とも表示領域を減少し案内項目を決定するようにしても良い。またエアコンやオーディオの案内項目もナビゲーションと同様に表示領域に基づいて変更するようにしても良い。
【００３４】
また上記の例においては、表示要素テーブルを情報記憶手段に格納しておき、テーブルに基づいて表示領域の大きさに応じて案内項目を決定する例について説明したが、テーブルを用いずに案内項目をプログラムにより決めるようにしても良い。この場合、プログラムにより表示領域を算出して案内項目を決定し、表示位置および表示すべき情報を決定して表示したり、音声案内する。また、表示すべき情報が矩形領域内に文字や記号情報を表示する場合、表示領域の大きさに応じて矩形の表示位置を決定し、矩形内に文字や記号情報を表示する。
【００３５】
図１１は車載端末装置と情報センタとをネットワークで接続した例を示す図である。
情報センタ２０は、経路探索処理、案内処理や通信する端末特定処理等を行う制御装置２１、最新の地図データを含む地図データベース２２、送受信手段２３を有していて、ネットワーク２４を介して各車載端末装置１５と通信可能であり、車載端末装置からの要求があると、要求に応じて最新の地図データや探索経路、案内処理を提供するサービスを行っている。地図データベース２２は更新された道路、新規に開通された道路、最新の有料道路の料金といった道路に関するあらゆる最新情報が格納されており、車載端末装置２５からの要求に応じて制御装置２１が地図データベース２２を検索して経路探索を行って提供している。また、制御装置２１は登録された車載端末の識別データを保持していて、この識別データに基づいて端末を特定し、地図データを提供する。
【００３６】
車載端末装置１５が情報センタに対してデータ要求する際、画面の表示領域の大きさの情報も情報センタ側へ送信すると、情報センタ側では表示領域の大きさに対応した案内項目を算出し、これを車載端末装置側に配信し、車載端末装置１５では図７、図１０で示したようなパターンで配信された案内項目を表示し、或いは音声案内する。
【００３７】
【発明の効果】
以上のように本発明によれば、画面の表示領域を変更可能とし、表示領域の大きさにより案内項目を決定するので、必要に応じた案内項目を適切に提供することができる。
【図面の簡単な説明】
【図１】車両用ナビゲーション装置の実施の形態の例を説明する図である。
【図２】案内画面を説明する図である。
【図３】本発明の案内情報表示処理フローを説明する図である。
【図４】表示領域の大きさを変える例を示す図である。
【図５】表示要素テーブルを示す図である。
【図６】ユーザが設定した画面の大きさに対する表示パターンを変更する処理フローを示す図である。
【図７】パターンの表示例を示す図である。
【図８】表示領域の大きさを変える他の例を示す図である。
【図９】表示領域の大きさと表示パターンの関係を示す図である。
【図１０】上下左右表示枠により表示領域の大きさを変更した場合の表示パターンの例を示す図である。
【図１１】車載端末装置と情報センタとをネットワークで接続した例を示す図である。
【符号の説明】
１…入力装置、２…現在位置検出装置、３…情報記憶装置、４…中央処理装置、５…情報送受信装置、６…出力装置、２０…情報センタ、２１…制御装置、２２…地図データベース、２３…送受信手段、２４…ネットワーク、２５…車載端末装置。
【図１】
2004077134.tif 000003
【図２】
2004077134.tif 000004
【図３】
2004077134.tif 000005
【図４】
2004077134.tif 000006
【図５】
2004077134.tif 000007
【図６】
2004077134.tif 000008
【図７】
2004077134.tif 000009
【図８】
2004077134.tif 000010
【図９】
2004077134.tif 000011
【図１０】
2004077134.tif 000012
【図１１】
2004077134.tif 000013